(57)【要約】【課題】延長情報の有利度合いを示唆する示唆演出による演出効果を高めることによって、遊技に対する興趣の向上を図ることができる遊技機を提供する。【解決手段】サブ制御用ＣＰＵは、延長権利についての有利度合いが異なる複数種類の延長情報から何れかを決定し、特定状態において延長契機役が当選したことを条件として特定状態の制御を延長させる延長権利を付与するか否かを決定する。サブ制御用ＣＰＵは、特定状態において延長契機役のうち特殊役が当選した場合に、決定されている延長情報の有利度合いが不利なときには有利なときよりも高い確率で示唆演出を実行させる制御を行う。【選択図】図６
2015047211.tif 000002
【特許請求の範囲】
【請求項１】
遊技者による開始操作が行われることに基づいて複数列の図柄を変動させて行う１回の遊技が図柄表示手段で開始され、１回の遊技の開始に基づき各列の図柄の変動が開始された後、遊技者による停止操作に基づき前記図柄表示手段に表示結果が入賞役として導出される遊技機において、
前記開始操作に基づいて複数の当選役の中から当選役を抽選する当選役抽選手段と、
通常状態よりも遊技者に有利な状態での遊技となる特定状態の制御を行う状態制御手段と、
前記特定状態において前記当選役抽選手段によって延長契機役が当選したことを条件として前記特定状態の制御を延長させる延長権利を付与するか否かを決定する権利付与決定手段と、
前記権利付与決定手段による決定結果に基づく前記延長権利についての有利度合いが異なる複数種類の延長情報が規定された延長情報規定手段と、
前記延長情報規定手段によって規定された複数種類の延長情報から何れかを決定する延長情報決定手段と、
前記特定状態において前記当選役抽選手段によって前記延長契機役のうち特殊役が当選した場合に、前記延長情報決定手段によって決定されている延長情報を示唆する示唆演出を演出実行手段に実行可能に制御する演出制御手段と、を備え、
前記演出制御手段は、前記当選役抽選手段によって前記特殊役が当選した場合に、前記延長情報決定手段によって決定されている延長情報の有利度合いが不利なときには有利なときよりも高い確率で前記示唆演出を前記演出実行手段に実行させる制御を行う遊技機。
【請求項２】
前記当選役抽選手段によって特殊役が当選した場合に、前記特定状態において遊技者による停止操作が特定操作条件を満たしたときに特殊役を入賞可能に制御する導出制御手段と、
前記当選役抽選手段によって特殊役が当選した場合、決定された当選役と特定操作条件とを示す当選役情報を出力する情報出力手段と、
前記情報出力手段からの当選役情報を入力する情報入力手段と、を備え、
前記権利付与決定手段は、前記特定状態において特殊役が入賞された場合に、前記延長権利を付与するか否かを決定し、
前記演出制御手段は、前記情報入力手段によって入力された当選役情報が特殊役の当選を示す場合に、前記特定操作条件を報知させる演出を前記演出実行手段に実行させる制御を行う請求項１に記載の遊技機。
【請求項３】
前記演出制御手段は、前記情報入力手段によって入力された当選役情報が特殊役の当選を示す場合に、前記特定操作条件を報知させる演出を前記示唆演出として前記演出実行手段に実行させる制御を行い、
前記権利付与決定手段は、前記情報入力手段によって入力された当選役情報が前記特殊役の当選を示す場合、前記延長契機役のうち前記特殊役ではない非特殊役の当選を示す場合の少なくとも何れかにおいて、前記延長情報決定手段によって決定されている延長情報の有利度合いが有利なときには不利なときよりも高い確率で前記延長権利を付与すると決定する請求項２に記載の遊技機。
【発明の詳細な説明】
【技術分野】
【０００１】
本発明は、遊技者による開始操作が行われることに基づいて複数列の図柄を変動させて行う１回の遊技が図柄表示手段で開始される遊技機に関する。
【背景技術】
【０００２】
従来から、遊技機の一種である回胴式遊技機（以下「パチスロ」と示す）では、メダルが用いられ、パチスロへのメダルの投入により遊技が開始され、所定の絵柄の当りが容易に得られる遊技者にとって有利な状態（以下「特定状態」という）が行われるようになっている。
【０００３】
そして、特許文献１のパチスロでは、このような特定状態で行われる遊技中において、遊技者の利益を大きく左右することになる特定状態で行われる遊技の期間を延長させるようにする各種抽選（上乗せ抽選や継続抽選）を行わせるようにしている。
【０００４】
このようにして特許文献１のパチスロでは、遊技者の利益を大きく左右することになる各種抽選を行う権利を如何に多く獲得するかが遊技者の最大の関心事となるようにしている。また、各種抽選における抽選確率などの延長情報を示唆する示唆演出が実行されるパチスロもある。
【先行技術文献】
【特許文献】
【０００５】
【特許文献１】特開２０１１−１６０８４４号公報
【発明の概要】
【発明が解決しようとする課題】
【０００６】
しかしながら、このような特許文献１のパチスロにあっては、延長情報が有利であると示唆演出が実行され易い傾向があるが、その反面、延長情報が不利であると示唆演出が実行され難い傾向があり、この場合には遊技に対する興趣の減退を招くおそれがあった。
【０００７】
この発明は、このような従来の技術に存在する問題点に着目してなされたものであり、その目的は、延長情報の有利度合いを示唆する示唆演出による演出効果を高めることによって、遊技に対する興趣の向上を図ることができる遊技機を提供することにある。
【課題を解決するための手段】
【０００８】
上記問題点を解決する遊技機は、遊技者による開始操作が行われることに基づいて複数列の図柄を変動させて行う１回の遊技が図柄表示手段で開始され、１回の遊技の開始に基づき各列の図柄の変動が開始された後、遊技者による停止操作に基づき前記図柄表示手段に表示結果が入賞役として導出される遊技機において、前記開始操作に基づいて複数の当選役の中から当選役を抽選する当選役抽選手段と、通常状態よりも遊技者に有利な状態での遊技となる特定状態の制御を行う状態制御手段と、前記特定状態において前記当選役抽選手段によって延長契機役が当選したことを条件として前記特定状態の制御を延長させる延長権利を付与するか否かを決定する権利付与決定手段と、前記権利付与決定手段による決定結果に基づく前記延長権利についての有利度合いが異なる複数種類の延長情報が規定された延長情報規定手段と、前記延長情報規定手段によって規定された複数種類の延長情報から何れかを決定する延長情報決定手段と、前記特定状態において前記当選役抽選手段によって前記延長契機役のうち特殊役が当選した場合に、前記延長情報決定手段によって決定されている延長情報を示唆する示唆演出を演出実行手段に実行可能に制御する演出制御手段と、を備え、前記演出制御手段は、前記当選役抽選手段によって前記特殊役が当選した場合に、前記延長情報決定手段によって決定されている延長情報の有利度合いが不利なときには有利なときよりも高い確率で前記示唆演出を前記演出実行手段に実行させる制御を行うことを要旨とする。
【０００９】
上記遊技機について、前記当選役抽選手段によって特殊役が当選した場合に、前記特定状態において遊技者による停止操作が特定操作条件を満たしたときに特殊役を入賞可能に制御する導出制御手段と、前記当選役抽選手段によって特殊役が当選した場合、決定された当選役と特定操作条件とを示す当選役情報を出力する情報出力手段と、前記情報出力手段からの当選役情報を入力する情報入力手段と、を備え、前記権利付与決定手段は、前記特定状態において特殊役が入賞された場合に、前記延長権利を付与するか否かを決定し、前記演出制御手段は、前記情報入力手段によって入力された当選役情報が特殊役の当選を示す場合に、前記特定操作条件を報知させる演出を前記演出実行手段に実行させる制御を行う構成としてもよい。
【００１０】
上記遊技機について、前記演出制御手段は、前記情報入力手段によって入力された当選役情報が特殊役の当選を示す場合に、前記特定操作条件を報知させる演出を前記示唆演出として前記演出実行手段に実行させる制御を行い、前記権利付与決定手段は、前記情報入力手段によって入力された当選役情報が前記特殊役の当選を示す場合、前記延長契機役のうち前記特殊役ではない非特殊役の当選を示す場合の少なくとも何れかにおいて、前記延長情報決定手段によって決定されている延長情報の有利度合いが有利なときには不利なときよりも高い確率で前記延長権利を付与すると決定する構成としてもよい。
【発明の効果】
【００１１】
本発明によれば、延長情報の有利度合いを示唆する示唆演出による演出効果を高めることによって、遊技に対する興趣の向上を図ることができる。
【図面の簡単な説明】
【００１２】
【図１】パチスロの機表側を示す正面図。
【図２】賞態様を示す模式図。
【図３】パチスロの電気的構成を示すブロック図。
【図４】（ａ）は、当選役決定テーブルを示す模式図、（ｂ）は、リプレイ役の詳細を示す模式図。
【図５】遊技状態及び演出状態の移行の態様を示す模式図。
【図６】（ａ）は、ＡＲＴ特別モードへの移行期待値を示す模式図、（ｂ）は、各種確率を示す模式図。
【発明を実施するための形態】
【００１３】
［第１実施形態］
以下、図１〜図６を参照して本実施形態におけるパチンコ式スロットマシン（回胴式遊技機、以下、「パチスロ」と示す）について説明する。
【００１４】
図１に示すように、パチスロ１０は、前面を開口した直方体状の本体１１と、当該本体１１の縁側に対して回動開閉可能に軸支された前面扉１２とを備えている。前面扉１２には、遊技中（変動ゲーム中）に表示演出を行う演出実行手段及び報知手段としての演出表示装置１４と、各種の演出効果光を発する装飾ランプＬａと、音声演出を行うスピーカＳｐとが配設されている。
【００１５】
前面扉１２の前面中央に設けられた中央パネル１５には、機内部を透視可能な透視窓１６が設けられており、その機内部には、演出表示装置１４とは別体である図柄表示手段としてのドラムユニット１３が配設されている。ドラムユニット１３は、各種の２１個の図柄が予め定められた順で印刷された透光性を有する帯状のリールシートが外周に巻装された左リール１３Ｌと、中リール１３Ｃと、右リール１３Ｒとから構成されている。
【００１６】
なお、本実施形態において各リールでは、「ベル」を模した図柄（ベル図柄）、「ＲＥＰＬＡＹ」の文字が装飾された図柄（リプレイ図柄）、「スイカ（すいか）」を模した図柄（スイカ図柄）、「チェリー」を模した図柄（チェリー図柄）がそれぞれ配列されている。以下では、各図柄を、「図柄」を省いて、「ベル」、「リプレイ」、「スイカ」、「チェリー」という場合もある。
【００１７】
各リール（左リール１３Ｌ、中リール１３Ｃ、及び右リール１３Ｒ）は、側方に並設されている。各リールは、各々に対応して設けられたステッピングモータにより独立して縦方向に回転及び停止するように構成されており、各リールが回転することによって透視窓１６には各種図柄が連続的に変化しつつ表示（変動）される。各リールの回転が停止した場合、透視窓１６には、各リールにおける複数の図柄のうち連続する３つの図柄が上段、中段、下段の位置に停止表示される。各リールには、それらの回転位置を検出するためのリールセンサＳＥ１，ＳＥ２，ＳＥ３（図３に示す）がそれぞれに対応するように設けられている。
【００１８】
また、パチスロ１０には、透視窓１６から透視可能な図柄の表示領域において、停止表示される図柄の組み合わせ（導出される表示結果）を規定する複数（本実施形態では５本）の図柄停止ラインが形成されている。本実施形態では、図柄停止ラインとして、停止表示される図柄の組み合わせを入賞と判定しうる１本の入賞ラインＬ１（実線で示す）と、停止表示される図柄の組み合わせを入賞と判定し得ない４本の非入賞ラインＬ２〜Ｌ５（破線で示す）が形成されている。
【００１９】
透視窓１６では、各列の図柄が停止表示される図柄停止位置Ｄ１〜Ｄ９のうち、図柄停止位置Ｄ２，Ｄ５，Ｄ８によって入賞ラインＬ１（有効）が形成される。また、図柄停止位置Ｄ１，Ｄ４，Ｄ７によって非入賞ラインＬ２（無効）が形成され、図柄停止位置Ｄ３，Ｄ６，Ｄ９によって非入賞ラインＬ３（無効）が形成される。また、図柄停止位置Ｄ１，Ｄ５，Ｄ９によって非入賞ラインＬ４（無効）が形成され、図柄停止位置Ｄ３，Ｄ５，Ｄ７によって非入賞ラインＬ５（無効）が形成される。また、中央パネル１５には、変動ゲームに関わる情報を報知する各種情報表示部１７が構成されている。
【００２０】
また、前面扉１２には、メダル投入口１８が配設されている。メダル投入口１８の奥方には、メダルの通過を検知するメダルセンサＳＥ４（図３に示す）が配設されている。また、前面扉１２には、左から順にＢＥＴボタン１９とＭＡＸＢＥＴボタン２０とが設けられている。ＢＥＴボタン１９は、機内部で貯留記憶されているクレジットから１ベット分（１枚分）を変動ゲームのベット数（賭数）としてベットする（賭ける）際に押圧（操作）するボタンである。また、ＭＡＸＢＥＴボタン２０は、１回の変動ゲームにおいて許容されるベット数の最大ベット数（本実施形態では３ベット分（３枚分））を変動ゲームのベット数としてベットする（賭ける）際に押圧（操作）するボタンである。
【００２１】
また、前面扉１２には、精算スイッチ２１が設けられている。精算スイッチ２１は、変動ゲームの開始に伴ってベットされたメダル（遊技媒体）、又は機内部に貯留記憶されているクレジットを払い戻すときに使用（操作）するスイッチである。また、精算スイッチ２１の右方位置には、変動ゲームを開始する際に操作する遊技開始操作手段としてのスタートレバー２２が設けられている。そして、本実施形態では、ベット数の設定終了後にスタートレバー２２を操作することにより、各リールの回転動作が開始される。
【００２２】
スタートレバー２２の右方位置には、遊技者により操作される導出操作受付手段としてのストップボタン２３Ｌ，２３Ｃ，２３Ｒが設けられている。ストップボタン２３Ｌ，２３Ｃ，２３Ｒは、回転しているリールを停止させるためのボタンであり、各リールに対応して３個のストップボタンがある。
【００２３】
また、前面扉１２の前面における下部中央部にはメダル排出口２４が形成されている。また、前面扉１２の前面における下部には、メダル排出口２４から排出されたメダルを受ける受皿２５が配設されている。
【００２４】
また、図１に破線で示すように、パチスロ１０本体においてドラムユニット１３の下方となる位置には、パチスロ１０内部において、投入されたメダルを貯留するためのホッパー２６が配置されている。このホッパー２６の下方側にはメダル排出口２４が位置し、図柄の組み合わせが遊技者に賞メダルを付与する予め定める賞態様（役）になった場合には、ホッパー２６に貯留されたメダルがメダル排出口２４へと払出される。前面扉１２の裏面側においてメダル投入口１８の下方位置には、該メダル投入口１８とホッパー２６とを繋ぐようにメダルセレクター２７が配設されている。
【００２５】
次に、遊技者が遊技として変動ゲームを行うための操作や、この操作に伴う各種装置の作動状況について説明する。
変動ゲームに対するメダルの投入又は各ＢＥＴボタン１９，２０の操作が可能な状態において、各ＢＥＴボタン１９，２０を操作することで所定のベット数が設定され、本実施形態では、３ベットによって１本の入賞ラインが有効となり、変動ゲームの実行が許容される。
【００２６】
上記のようにベット数が設定され、スタートレバー２２の操作が受付可能な状態、すなわち、ゲーム開始可能な状態で遊技者がスタートレバー２２の開始操作が行われると、ドラムユニット１３の各リールが回転し、透視窓１６には複数種類の図柄が連続的に変化するように表示される。その後、各リールが回転して所定時間が経過すると、各ストップボタン２３Ｌ，２３Ｃ，２３Ｒの操作が受付可能になる。続いて、遊技者により各ストップボタン２３Ｌ，２３Ｃ，２３Ｒが操作されると、対応する各リールが停止され、対応する列の上段、中段及び下段に図柄が透視窓１６に表示される。
【００２７】
各リールの全てが停止されると、入賞ラインに停止表示された図柄の組み合わせが予め定めた賞態様を形成する場合に入賞となり、入賞した賞態様に応じた賞として、賞メダルの払い出し等が遊技者に付与される。
【００２８】
本実施形態における１回の変動ゲームは、ベット数の設定後のスタートレバー２２の開始操作を契機に開始し、ストップボタン２３Ｌ，２３Ｃ，２３Ｒの停止操作により図柄の組み合わせが停止表示された後に賞メダルの払い出しに関する制御が完了したことを契機に終了する。
【００２９】
次に、図２を参照して本実施形態のパチスロ１０において入賞ライン上に停止表示される図柄の組み合わせについて説明する。
図２に示すように、内部で決定される当選役に基づき入賞ライン上に停止表示可能となる図柄の組み合わせ（停止結果）と、該図柄の組み合わせに対応する賞と、が定められている。
【００３０】
具体的に、図２に示す当選役に基づき停止表示可能となる図柄の組み合わせの何れも入賞ライン上に停止表示されない場合、賞メダルの遊技者への付与が行われない（１枚以上の賞メダルを付与しない）。以下の説明で、図２に示す何れにも対応しない図柄の組み合わせにより入賞ラインを形成する場合の図柄の組み合わせを「はずれ停止目」という。
【００３１】
また、［チェリー・ＡＮＹ・ＡＮＹ］が入賞ライン上に停止表示される場合には、２枚の賞メダルを払い出すことを定めている。なお、入賞ラインを形成する中リール１３Ｃ及び右リール１３Ｒの停止位置に停止表示される図柄は何れの図柄（「ＡＮＹ」）でもよい。以下の説明で、［チェリー・ＡＮＹ・ＡＮＹ］により入賞ラインを形成する賞態様（図柄の組み合わせ）を「チェリー停止目」という。このチェリー停止目は、当選役として「チェリー役」の決定により入賞可能（停止表示可能）とされている。
【００３２】
また、［スイカ・スイカ・スイカ］が入賞ライン上に停止表示される場合には、６枚の賞メダルを払い出すことを定めている。以下の説明で、［スイカ・スイカ・スイカ］により入賞ラインを形成する賞態様を「スイカ停止目」という。このスイカ停止目は、当選役として「スイカ役」の決定により入賞可能とされている。
【００３３】
また、［ベル・ベル・ベル］が入賞ライン上に停止表示される場合には、１２枚の賞メダルを払い出すことを定めている。以下の説明で、［ベル・ベル・ベル］により入賞ラインを形成する賞態様を「ベル停止目」という。このベル停止目は、当選役として「ベル役」の決定により入賞可能とされている。
【００３４】
本実施形態において、これら「チェリー役」、「スイカ役」、「ベル役」は、入賞に基づいて賞メダルの払い出しを定めた当選役（払出役）となる。
また、［リプレイ・リプレイ・リプレイ］が入賞ライン上に停止表示される場合には、上述した再遊技を付与することが定められている。以下、［リプレイ・リプレイ・リプレイ］により入賞ラインを形成する賞態様を「通常停止目」という。この通常停止目は、当選役として通常リプレイ役（通常入賞役）の決定により入賞可能とされている。
【００３５】
また、図２に示す［リプレイ・リプレイ・ベル］をはじめとして、図示しない［リプレイ・ベル・リプレイ］、［ベル・リプレイ・リプレイ］が入賞ライン上に停止表示される場合には、上述した再遊技を付与することを定めている。以下、［リプレイ・リプレイ・ベル］等により入賞ラインを形成する賞態様を「特殊停止目」という。この特殊停止目は、当選役として特殊リプレイ役の決定により入賞可能とされている。
【００３６】
また、［ベル・リプレイ・スイカ］が入賞ライン上に停止表示される場合には、上述した再遊技を付与することを定めている。以下、［ベル・リプレイ・スイカ］により入賞ラインを形成する賞態様を「突入停止目」という。この突入停止目は、当選役として突入リプレイ役の決定により入賞可能とされている。
【００３７】
なお、本実施形態において、これら各種リプレイ役は、入賞に基づいて再遊技の付与を定めた再遊技役となる。また、上述した再遊技では、遊技者がベット数をベットすることなく変動ゲームを行うことができ、賞メダルの遊技者への付与が行われない（１枚以上の賞メダルを付与しない）。
【００３８】
また、本実施形態において、各賞態様の入賞により賞メダルの払い出しや再遊技といった各賞の入賞の発生を許容する「チェリー役」、「スイカ役」、「ベル役」、及び「リプレイ役」といった当選役が小役となる。
【００３９】
また、本実施形態のパチスロ１０は、リプレイ役の当選確率を変動させて制御するＲＴ機能（再遊技役確率変動機能）が搭載されている。このＲＴ機能により、ＲＴ機能の非作動の状態であってリプレイ役の合算の当選確率が低確率抽選状態（低確率）に設定された低確ＲＴ遊技に状態が制御される場合がある。一方、ＲＴ機能により、ＲＴ機能の作動の状態であってリプレイ役の合算の当選確率が低確率抽選状態から高確率抽選状態（高確率）へ変動（向上）される高確ＲＴ遊技に状態が制御される場合がある。
【００４０】
次に、図３に示すパチスロ１０の電気的構成について説明する。
パチスロ１０の機裏側には、遊技機全体を制御する主制御基板４０が装着されている。主制御基板４０は、各種処理を実行してその処理結果に応じて各種の制御信号（制御コマンド）を演算処理し、該制御信号を出力する。また、機裏側には、遊技状態に応じた演出制御等を実行するサブ制御基板４１が装着されている。サブ制御基板４１は、主制御基板４０が出力した各種の制御信号を入力し、該制御信号に基づき所定の制御を実行する。
【００４１】
主制御基板４０は、制御動作を所定の手順で実行する主制御用ＣＰＵ４０ａと、主制御用ＣＰＵ４０ａの制御プログラムを格納する主制御用ＲＯＭ４０ｂと、必要なデータの書き込み及び読み出しができる主制御用ＲＡＭ４０ｃが設けられている。また、主制御用ＣＰＵ４０ａには、ドラムユニット１３を構成する各リール（左リール１３Ｌ、中リール１３Ｃ及び右リール１３Ｒ）、リールセンサＳＥ１〜ＳＥ３、メダルセンサＳＥ４が接続されている。また、主制御用ＣＰＵ４０ａには、各種情報表示部１７が接続されている。また、主制御用ＣＰＵ４０ａには、ＢＥＴボタン１９と、ＭＡＸＢＥＴボタン２０と、精算スイッチ２１と、スタートレバー２２と、各ストップボタン２３Ｌ，２３Ｃ，２３Ｒと、ホッパー２６とが接続されている。
【００４２】
主制御用ＣＰＵ４０ａには、接続されるリールセンサＳＥ１〜ＳＥ３から透視窓１６で表示されている図柄（回転中の各リールの回転位置）に応じて位置信号が入力される。そして、主制御用ＣＰＵ４０ａは、位置信号により各リールの回転位置及び停止位置を特定し、該位置信号に基づき各リールの回転及び停止の制御を行う。
【００４３】
また、主制御用ＣＰＵ４０ａには、接続されるメダルセンサＳＥ４から該メダルセンサＳＥ４でメダルを検知する毎に、メダルを検知したことを示すメダル検知信号が入力される。また、主制御用ＣＰＵ４０ａには、接続されるＢＥＴボタン１９、ＭＡＸＢＥＴボタン２０、精算スイッチ２１、スタートレバー２２及びストップボタン２３Ｌ，２３Ｃ，２３Ｒが操作されると、各ボタンが操作されたことを示す各種操作信号が入力される。
【００４４】
また、主制御用ＣＰＵ４０ａは、各種抽選で用いる当選役決定乱数等の各種乱数の値を所定の周期毎に更新する乱数更新処理（乱数生成処理）を実行する。なお、当選役決定乱数は、主制御用ＣＰＵ４０ａが当選役決定テーブルにしたがい役（当選情報群に基づく当選役）を決定する際に使用する乱数である。主制御用ＣＰＵ４０ａが決定する当選情報群には、変動ゲームで入賞可能とする単数又は複数の当選役が対応付けられている。当選情報群では、単数の当選役が対応付けられている場合に当該当選役の単独当選を意味し、複数の当選役が対応付けられている場合にこれら当選役の重複当選を意味する。このため、主制御用ＣＰＵ４０ａは、当選情報群を決定することで当選とする当選役を決定する。
【００４５】
また、主制御用ＲＯＭ４０ｂには、メイン制御プログラムが記憶されている。また、主制御用ＲＯＭ４０ｂには、遊技状態別、並びに当選情報群別の内部当選確率が、当選役決定乱数の値の割り当て範囲として定められた複数の当選役決定テーブルが記憶されている。
【００４６】
また、主制御用ＲＯＭ４０ｂには、役毎に図柄の組み合わせの停止テーブルが予め定められている。停止テーブルとは、各ストップボタン２３Ｌ，２３Ｃ，２３Ｒが操作された操作タイミングによって停止表示させる図柄を役毎に定めたものである。また、主制御用ＲＡＭ４０ｃには、パチスロ１０の動作中に適宜書き換えられる各種情報が記憶（設定）される。
【００４７】
サブ制御基板４１は、制御動作を所定の手順で実行するサブ制御用ＣＰＵ４１ａと、サブ制御用ＣＰＵ４１ａの制御プログラムを格納するサブ制御用ＲＯＭ４１ｂと、必要なデータの書き込み及び読み出しができるサブ制御用ＲＡＭ４１ｃが設けられている。そして、サブ制御用ＣＰＵ４１ａには、演出表示装置１４、スピーカＳｐ、装飾ランプＬａが接続されている。
【００４８】
サブ制御用ＣＰＵ４１ａは、各種抽選で用いる各種乱数の値を所定の周期毎に更新する乱数更新処理（乱数生成処理）を実行する。また、サブ制御用ＲＯＭ４１ｂには、サブ制御プログラムが記憶されている。また、サブ制御用ＲＯＭ４１ｂには、演出表示装置１４の表示演出態様が示される表示演出パターンや、スピーカＳｐの音声出力態様が示される音声演出パターンや、装飾ランプＬａの発光態様が示される発光演出パターンが記憶されている。また、サブ制御用ＲＡＭ４１ｃには、パチスロ１０の動作中に適宜書き換えられる各種情報が記憶（設定）される。具体的に、サブ制御用ＲＡＭ４１ｃには、遊技状態に係るサブ用状態情報（演出フラグなど）がサブ制御用ＣＰＵ４１ａにより記憶（設定）される。
【００４９】
ここで、図４に示す主制御用ＲＯＭ４０ｂに記憶される当選役決定テーブルＴ１，Ｔ２について説明する。
主制御用ＲＯＭ４０ｂには、抽選対象となる当選情報群の種類と、抽選対象となる各当選情報群の当選確率（抽選対象となる各当選情報群に振分けられる乱数値（乱数の値の範囲に基づく個数））を遊技状態毎にテーブル化したものが記憶されている。各当選役決定テーブルは、遊技状態に応じて主制御用ＣＰＵ４０ａにより用いられる。低確ＲＴ遊技に当選役決定テーブルＴ１が、高確ＲＴ遊技に当選役決定テーブルＴ２がそれぞれ対応付けられている。
【００５０】
図４（ａ）に示すように、当選役決定テーブルＴ１，Ｔ２では、当選情報群に基づくチェリー役、スイカ役、ベル役、リプレイ役の各当選確率が規定されている。そして、一般遊技では、リプレイ役の当選確率が高確ＲＴ遊技（１／１．９）で、低確ＲＴ遊技（１／７．３）に比べて大きく高まるように当選役決定乱数が振分けられている。
【００５１】
このため、本実施形態では、リプレイ役の当選確率が高確率抽選状態に設定される高確ＲＴ遊技において、再遊技が付与され易い分、遊技者が保有するメダルの消費（投入）を減少させることができるといった利益を遊技者に付与することができる。このような高確ＲＴ遊技は、遊技者にとって有利な状態である。
【００５２】
また、図４（ｂ）に示すように、リプレイ役の当選確率は、低確ＲＴ遊技（当選役決定テーブルＴ１）において、通常リプレイ役（不問）を対応付けた当選情報群と、突入リプレイ役と通常リプレイ役との重複当選を対応付けた当選情報群とのそれぞれの当選確率を規定している。なお、この突入リプレイ役と通常リプレイ役との重複当選を対応付けた当選情報群には、突入重複リプレイ群１及び突入重複リプレイ群２が設定されている。
【００５３】
また、リプレイ役の当選確率は、高確ＲＴ遊技（当選役決定テーブルＴ２）において、通常リプレイ役（不問）を対応付けた当選情報群と、特殊リプレイ役と通常リプレイ役との重複当選を対応付けた当選情報群とのそれぞれの当選確率を規定している。この特殊リプレイ役と通常リプレイ役との重複当選を対応付けた当選情報群には、特殊重複リプレイ群１〜特殊重複リプレイ群６が設定されている。
【００５４】
また、ベル役の当選確率は、ベル役を対応付けた当選情報群のそれぞれの当選確率の合算を規定している。このベル役の当選情報群には、ベル群１〜ベル群６が設定されている。
【００５５】
以下の説明で、「通常リプレイ役の当選」という場合には、通常リプレイ役（不問）を対応付けた当選情報群の当選を意味する。また、「突入リプレイ役の当選」という場合には、突入重複リプレイ群１及び突入重複リプレイ群２の当選を意味する。また、「特殊リプレイ役の当選」という場合には、特殊重複リプレイ群１〜特殊重複リプレイ群６の当選を意味する。また、「ベル役の当選」という場合には、ベル群１〜ベル群６の当選を意味する。また、「チェリー役の当選」という場合には、チェリー役の単独当選を対応付けた当選情報群の当選を意味する。また、「スイカ役の当選」という場合には、スイカ役の単独当選を対応付けた当選情報群の当選を意味する。また、「突入入賞」という場合には、各突入重複リプレイ群に対応付けた突入リプレイ役に基づく突入停止目の停止表示を意味する。また、「特殊入賞」という場合には、各特殊重複リプレイ群に対応付けた特殊リプレイ役に基づく特殊停止目の停止表示を意味する。
【００５６】
以下、主制御用ＣＰＵ４０ａがメイン制御プログラムに基づき実行する変動ゲームに係る処理について説明する。
主制御用ＣＰＵ４０ａは、各種操作信号を入力すると、各種操作信号に定める所定の制御を実行する。そして、主制御用ＣＰＵ４０ａは、各種操作信号の入力や各種制御により、各種情報表示部１７の表示制御をその都度実行する。
【００５７】
そして、主制御用ＣＰＵ４０ａは、メダル投入口１８よりメダルが投入される、又は各ＢＥＴボタン１９，２０の操作信号を入力するとベット数を設定し、所定のベット数が設定されたときに、変動ゲームを行うことができるゲーム開始可能な状態を生起する。
【００５８】
続いて、主制御用ＣＰＵ４０ａは、ゲーム開始可能な状態において、スタートレバー２２の操作信号を入力すると、役抽選（内部抽選）を行う。この役抽選において、主制御用ＣＰＵ４０ａは、主制御用ＲＡＭ４０ｃから当選役決定乱数の値を取得し、主制御用ＲＯＭ４０ｂに記憶されている当選役決定テーブルのうち遊技状態に応じた当選役決定テーブルにおいて、取得した値が各当選役の値の範囲に属しているか否かを判定し、当選とする当選情報群を決定する。このように主制御用ＣＰＵ４０ａは、当選情報群を決定することで、当該当選情報群に対応付けられた当選役の当選を決定する。なお、主制御用ＣＰＵ４０ａは、遊技状態を示す状態情報（フラグなど）を主制御用ＲＡＭ４０ｃに設定して遊技状態を特定可能としている。本実施形態では、このようにして役抽選を行う主制御用ＣＰＵ４０ａが当選役抽選手段として機能する。
【００５９】
そして、主制御用ＣＰＵ４０ａは、当選情報群を決定すると、決定した当選情報群に対応付けられた当選役の種類を示す役情報（フラグなど）を主制御用ＲＡＭ４０ｃに記憶（設定）する。なお、主制御用ＣＰＵ４０ａは、小役の当選を決定すると、該小役の入賞の発生の有無に関係なく役抽選の対象とする変動ゲーム（１回）の終了により、主制御用ＲＡＭ４０ｃの小役の役情報を消去（クリア）する。このため、小役は、当選の決定を入賞が発生するか否かに関係なく次以後の変動ゲームに跨って持越不可能な当選役となる。
【００６０】
また、主制御用ＣＰＵ４０ａは、遊技者によるスタートレバー２２の操作を検出したタイミング（役抽選等の所定の処理を行った後）で、変動ゲームの開始を指示するとともに、役抽選の抽選結果を示した変動ゲーム開始コマンドをサブ制御基板４１（サブ制御用ＣＰＵ４１ａ）に出力する。この変動ゲーム開始コマンドは、重複当選であれば複数の役情報を合わせて指示するコマンドであり、特に、入賞用の押し順が規定された当選役を指定可能なコマンドである。なお、主制御用ＣＰＵ４０ａは、遊技者によるスタートレバー２２の操作を検出して直前の変動ゲームの終了からウェイトタイムが経過している状態において、各リールの回転動作を開始させるように各リールを制御する。
【００６１】
続いて、主制御用ＣＰＵ４０ａは、遊技者の操作に基づくストップボタン２３Ｌ，２３Ｃ，２３Ｒの各種操作信号を入力すると、各種操作信号に対応するリールを停止させるための制御（停止制御）を行う。また、主制御用ＣＰＵ４０ａは、各リールに対応するリールセンサＳＥ１〜ＳＥ３からの位置信号により、各リールの変動又は停止の情報を特定する。なお、主制御用ＣＰＵ４０ａは、ストップボタン２３Ｌ，２３Ｃ，２３Ｒからの各種操作信号が入力されるまでの間、回転中のリールについて停止制御を行わないで回転動作を維持させる。また、主制御用ＣＰＵ４０ａは、ストップボタン２３Ｌ，２３Ｃ，２３Ｒの各種操作信号を入力すると、各種リール停止コマンドをサブ制御用ＣＰＵ４１ａに出力する。このようにしてストップボタン２３Ｌ，２３Ｃ，２３Ｒの遊技者による停止操作に基づいて各リールの停止制御を行う主制御用ＣＰＵ４０ａが、導出制御手段として機能する。
【００６２】
続いて、主制御用ＣＰＵ４０ａは、各リールの全てを停止させて図柄の組み合わせを停止表示させると入賞判定を行う。この入賞判定において、主制御用ＣＰＵ４０ａは、各リールの停止に伴って入力する位置信号から入賞ライン上に停止表示した図柄の組み合わせを特定し、主制御用ＲＡＭ４０ｃに記憶されている役情報（当選役）に対応する図柄の組み合わせが入賞ライン上に停止表示されているかを判定する。なお、主制御用ＣＰＵ４０ａは、入賞ライン上に停止表示した図柄の組み合わせが役情報に対応する賞態様である場合、該役情報に基づく当選役の入賞（肯定）を判定する一方で、役情報に対応する賞態様でない場合、該役情報に基づく当選役の非入賞（否定）、すなわち該役情報に基づく当選役の取りこぼしを判定する。本実施形態では、このようにして入賞役を判定する主制御用ＣＰＵ４０ａが入賞判定手段として機能する。
【００６３】
そして、主制御用ＣＰＵ４０ａは、入賞判定で入賞と判定する場合、該入賞と判定した賞態様に応じて、遊技状態を移行させる制御や賞メダルを払い出す制御、入賞を判定した変動ゲームと同一のベット数を設定する制御などを行い、該入賞と判定した旨を示す入賞指示コマンドをサブ制御基板４１に出力する。本実施形態では、このようにして入賞役に基づいて遊技価値を付与する主制御用ＣＰＵ４０ａが遊技価値付与手段として機能する。
【００６４】
ここで、主制御用ＣＰＵ４０ａが行う停止制御について詳しく説明する。
主制御用ＣＰＵ４０ａは、決定した当選情報群に基づき各ストップボタン２３Ｌ，２３Ｃ，２３Ｒが遊技者により操作されるタイミングから所定の範囲内（最大で４図柄分）で各リールを停止させて、任意の図柄の組み合わせを停止表示させる。主制御用ＣＰＵ４０ａは、回転中の各リールを停止させる場合、当選している当選役と各ストップボタン２３Ｌ，２３Ｃ，２３Ｒの操作タイミングから主制御用ＲＯＭ４０ｂに記憶される停止テーブルに基づく図柄の組み合わせを停止表示させる停止制御を行う。このように停止制御されることによって、各リールは、ストップボタン２３Ｌ，２３Ｃ，２３Ｒの遊技者による停止操作のタイミングで停止するとは限らず、遊技者による停止操作のタイミングと各リールの停止するタイミングとが一致しない場合（所謂、「すべり」）がある。
【００６５】
このため、主制御用ＣＰＵ４０ａは、各リールにおいて、停止させたい種類の図柄の間に挟む他の種類の図柄が４つ以内の部分を有している場合、すべり制御を伴う結果、何れかの入賞ライン上に停止させたい種類の図柄を停止表示させることができる。一方、主制御用ＣＰＵ４０ａは、各リールにおいて、停止させたい種類の図柄の間に挟む他の種類の図柄が５つ以上の部分を有している場合、すべり制御を伴っても、何れの入賞ラインにも停止させたい種類の図柄を停止表示させることができない場合がある。
【００６６】
また、本実施形態では、所定の当選役の当選時、３つのストップボタンを操作する押し順に基づいて行う制御が異なる。
本実施形態では、所定の当選役における当選情報群毎に、その所定の当選役を入賞させる停止目を停止表示させるための入賞用の押し順と、その所定の当選役を入賞させない停止目を停止表示させるための取りこぼし用の押し順とがそれぞれ定められている。
【００６７】
主制御用ＣＰＵ４０ａは、所定の当選役の当選に基づき入賞用の押し順となることで、入賞ラインに所定の当選役を入賞させる停止目を停止表示させる。一方、主制御用ＣＰＵ４０ａは、所定の当選役の当選に基づき取りこぼし用の押し順となることで、入賞ラインに所定の当選役を入賞させない停止目を停止表示させる。
【００６８】
具体的に、主制御用ＣＰＵ４０ａは、チェリー役の当選時、遊技者による停止操作のタイミングに関係なくチェリー停止目を停止表示させる。また、主制御用ＣＰＵ４０ａは、スイカ役の当選時、遊技者による停止操作のタイミングに関係なくスイカ停止目を停止表示させる。
【００６９】
また、主制御用ＣＰＵ４０ａは、ベル役の当選時、遊技者による停止操作の押し順がベル停止目を停止させる入賞用の押し順である場合、ベル停止目を停止表示させる。このベル停止目は、遊技者による停止操作のタイミングに関係なく停止表示可能となっている。一方、主制御用ＣＰＵ４０ａは、ベル役の当選時、遊技者による停止操作の押し順がベル停止目を停止させる入賞用の押し順ではなく、ベルこぼし用の押し順である場合、ベルこぼし停止目（例えば、［ベル・ベル・リプレイ］等）を停止表示させ、ベル役の取りこぼしを発生させる。このベルこぼし停止目も、遊技者による停止操作のタイミングに関係なく停止表示可能となっている。
【００７０】
例えば、ベル群１には、［左中右］のベル入賞用の押し順が定められているとともに、［左中右］以外のベルこぼし用の押し順が定められている。このため、ベル群１〜ベル群６は、全ての停止操作されるストップボタンに基づく「６択」の押し順が定められていることとなる。
【００７１】
また、主制御用ＣＰＵ４０ａは、突入リプレイ役の当選時、遊技者による停止操作の押し順が突入停止目を停止させる突入入賞用の押し順である場合、突入停止目を停止表示させる。この突入停止目は、遊技者による停止操作のタイミングに関係なく停止表示可能となっている。一方、主制御用ＣＰＵ４０ａは、突入リプレイ役の当選時、遊技者による停止操作の押し順が突入入賞用の押し順ではなく、通常停止目を停止させる通常入賞用の押し順である場合、通常停止目を停止させる。この通常停止目も、遊技者による停止操作のタイミングに関係なく停止表示可能となっている。
【００７２】
具体的に、図４（ｂ）に示すように、本実施形態では、突入重複リプレイ群毎に突入停止目（図４（ｂ）では、「突入」と示す）を停止表示させるための特定の停止操作となる突入入賞用の押し順がそれぞれ定められている。また、これに対応するように、突入重複リプレイ群毎に通常停止目を停止表示させるための通常の停止操作となる通常入賞用の押し順がそれぞれ定められている。
【００７３】
例えば、突入重複リプレイ群１には、［中左右］［中右左］の突入入賞用の押し順が定められているとともに、［中左右］［中右左］以外の通常用の押し順が定められている。また、突入重複リプレイ群２には、［右左中］［右中左］の突入入賞用の押し順が定められているとともに、［右左中］［右中左］以外の通常用の押し順が定められている。また、突入重複リプレイ群１及び突入重複リプレイ群２には、当選情報群の種類に関係なく、［中］［右］が最初となる通常用の押し順が定められており、［左］が最初となる突入入賞用の押し順が定められていない。このため、突入重複リプレイ群１及び突入重複リプレイ群２は、［左］が最初となる突入入賞用の存在しない「左無し２択」の押し順が定められていることとなる。また、突入重複リプレイ群が当選した場合、突入停止目、及び通常停止目のうち何れの図柄組み合わせが入賞ライン上に停止表示された場合であっても、同じように再遊技が遊技者に付与されることになる。
【００７４】
また、主制御用ＣＰＵ４０ａは、特殊リプレイ役の当選時、遊技者による停止操作の押し順が特殊停止目を停止させる特殊入賞用の押し順である場合、特殊停止目を停止表示させる。この特殊停止目は、遊技者による停止操作のタイミングに関係なく停止表示可能となっている。一方、主制御用ＣＰＵ４０ａは、特殊リプレイ役の当選時、遊技者による停止操作の押し順が特殊入賞用の押し順ではなく、通常停止目を停止させる通常入賞用の押し順である場合、通常停止目を停止させる。この通常停止目も、遊技者による停止操作のタイミングに関係なく停止表示可能となっている。
【００７５】
具体的に、図４（ｂ）に示すように、本実施形態では、特殊重複リプレイ群毎に特殊停止目（図４（ｂ）では、「特殊」と示す）を停止表示させるための特定の停止操作となる特殊入賞用の押し順がそれぞれ定められている。また、これに対応するように、特殊重複リプレイ群毎に通常停止目を停止表示させるための通常の停止操作となる通常入賞用の押し順がそれぞれ定められている。
【００７６】
例えば、特殊重複リプレイ群１には、［左中右］の突入入賞用の押し順が定められているとともに、［左中右］以外の通常用の押し順が定められている。このため、各特殊重複リプレイ群１〜各特殊重複リプレイ群６は、全ての停止操作されるストップボタンに基づく「６択」の押し順が定められていることとなる。
【００７７】
また、主制御用ＣＰＵ４０ａは、通常リプレイ役（不問）の当選時、遊技者による停止操作に拘わらず、通常停止目を停止表示させる。
そして、小役の何れの当選役も決定しない、すなわちはずれ役の当選時、主制御用ＣＰＵ４０ａは、遊技者による停止操作のタイミングに関係なくはずれ停止目を停止表示させる。
【００７８】
次に、図５を参照して主制御用ＣＰＵ４０ａが遊技状態に応じた変動ゲームに基づいて制御する遊技状態の移行の態様について説明する。
主制御用ＣＰＵ４０ａは、変動ゲームの開始時、変動ゲーム開始コマンドの出力前に、制御されている遊技状態を示す状態指示コマンドをサブ制御基板４１に出力する。
【００７９】
図５に示すように、主制御用ＣＰＵ４０ａは、低確ＲＴ遊技の制御中、突入リプレイ役が当選して突入入賞用の押し順により突入入賞の発生を契機に、次の変動ゲームから高確ＲＴ遊技に移行（突入）させる。すなわち、低確ＲＴ遊技では、突入リプレイ役が当選して突入入賞となる突入停止目が停止表示される場合、高確ＲＴ遊技への移行条件が満たされる。一方、主制御用ＣＰＵ４０ａは、低確ＲＴ遊技の制御中、突入入賞しない場合、高確ＲＴ遊技への移行条件が満たされずに次の変動ゲームからも低確ＲＴ遊技を継続させる。
【００８０】
また、主制御用ＣＰＵ４０ａは、高確ＲＴ遊技の制御中、ベル役が当選してベルこぼしの発生を契機に、次の変動ゲームから低確ＲＴ遊技に移行させる。すなわち、高確ＲＴ遊技では、ベル役が当選してベルこぼしとなるベルこぼし停止目が停止表示された場合、低確ＲＴ遊技への移行条件が満たされる。一方、主制御用ＣＰＵ４０ａは、高確ＲＴ遊技の制御中、ベルこぼしを発生させない場合、低確ＲＴ遊技への移行条件が満たされずに次の変動ゲームからも高確ＲＴ遊技を継続させる。
【００８１】
次に、サブ制御用ＣＰＵ４１ａがサブ制御プログラムに基づき実行する変動ゲームに係る処理について説明する。
サブ制御用ＣＰＵ４１ａは、変動ゲーム開始コマンドや入賞指示コマンドの各コマンドを入力すると、該コマンドに指示される内容に基づいて各種演出を実行させるように演出表示装置１４の表示内容、スピーカＳｐの音声出力内容、装飾ランプＬａの発光態様を制御する。また、サブ制御用ＣＰＵ４１ａは、各リールの停止状況も特定可能なことから、この停止状況から当選役の取りこぼしを特定することもできる。
【００８２】
また、サブ制御用ＣＰＵ４１ａは、状態指示コマンドを入力すると、遊技状態が何れの遊技状態に制御されているかを示す演出フラグをサブ制御用ＲＡＭ４１ｃに記憶（設定）する。また、サブ制御用ＣＰＵ４１ａは、変動ゲーム開始コマンドや各種リール停止コマンドが入力される毎に各種演出を行わせるための制御を行う。
【００８３】
また、サブ制御用ＣＰＵ４１ａは、状態指示コマンドにより指定される遊技状態に応じて、サブ制御用ＲＡＭ４１ｃに演出状態の種類を示す演出フラグを設定することで、制御させている演出表示装置１４の演出状態を特定（管理）する。本実施形態における演出状態は、複数種類に分類されており、具体的な演出状態としては、通常モードと、準備モードと、ＡＲＴ通常モードと、ＡＲＴ特別モードと、高確ＲＴ演出とが含まれている。なお、ＡＲＴ通常モードとＡＲＴ特別モードとをＡＲＴモードと示す場合がある。また、サブ制御用ＣＰＵ４１ａは、演出フラグから特定可能な演出状態に対応する画像表示用データ（特に背景画像用データ）を選択するとともに、この選択した画像表示用データをもとに演出表示装置１４の表示内容（表示画像）を制御する。
【００８４】
通常モードは、遊技状態が低確ＲＴ遊技であって、後述するＡＲＴモードへの移行権利の未発生時の状況で行われる演出状態である。この通常モードは、リプレイ役の当選確率が低確率抽選状態であるとともに、当選した突入リプレイ役に対応する特定の停止操作を報知することで突入入賞を補助（アシスト）する突入リプナビ演出や、当選したベル役に対応する特定の停止操作を報知することでベル入賞を補助（アシスト）するベルナビ演出を行わない状態である。
【００８５】
準備モードは、遊技状態が低確ＲＴ遊技であって、後述するＡＲＴモードへの移行権利の発生時の状況で行われる演出状態である。なお、準備モードの場合に演出表示装置１４では、通常モード用の表示画像と大まかには同一に構成されるとともに、該表示画面中に「準備中」等の文字画像が表示される。この準備モードは、リプレイ役の当選確率が通常モード同様に低確率抽選状態である一方、突入リプナビ演出やベルナビ演出を行う状態である。
【００８６】
ＡＲＴモードは、遊技状態が高確ＲＴ遊技である場合に行われる演出状態である。このＡＲＴモードは、リプレイ役の当選確率が高確率抽選状態であるとともに、ベルナビ演出を行う状態である。また、このＡＲＴモードは、所定の確率で、当選した特殊リプレイ役に対応する特定の停止操作を報知することで特殊入賞を補助（アシスト）する特殊リプナビ演出を行う状態である。
【００８７】
高確ＲＴ演出は、遊技状態が高確ＲＴ遊技である場合に行われる演出状態である。この高確ＲＴ演出は、リプレイ役の当選確率が高確率抽選状態であるとともに、各種リプナビ演出やベルナビ演出を行わない状態である。なお、各種ナビ演出において、特定の停止操作となる各種入賞用の押し順が特定操作条件に相当する。
【００８８】
ここで、各演出状態に関する特徴的な制御について説明する。まず、通常モードに関する制御について説明する。
サブ制御用ＣＰＵ４１ａは、通常モード中（通常モードを示す演出フラグの設定中）、当選役の当選及び入賞（取りこぼし）に基づいた処理を行う。なお、通常モード中は、リプレイ役として、通常リプレイ役（不問）と、突入リプレイ役と通常リプレイ役との重複役とが当選し得る演出状態であり、通常リプレイ役（不問）と、突入リプレイ役と、当該突入リプレイ役と重複当選する通常リプレイ役の入賞が発生し得る。
【００８９】
サブ制御用ＣＰＵ４１ａは、通常モード中、突入リプレイ役やベル役の当選が指示される場合、突入リプナビ演出やベルナビ演出を実行させないように演出表示装置１４の表示内容を制御する。
【００９０】
また、サブ制御用ＣＰＵ４１ａは、小役の当選が指示される場合、ＡＲＴ突入抽選を行う。このＡＲＴ突入抽選は、当選役に基づいて所定の当選確率（例えば合算が約１／３００）となるように、当選と非当選との何れかに乱数を振り分けて行われる。なお、サブ制御用ＣＰＵ４１ａは、ＡＲＴ突入抽選で当選した場合、ＡＲＴモードへの移行権利を発生させる。一方、サブ制御用ＣＰＵ４１ａは、ＡＲＴ突入抽選で当選しなかった場合、ＡＲＴモードへの移行権利を発生させない。
【００９１】
また、サブ制御用ＣＰＵ４１ａは、ＡＲＴモードや高確ＲＴ演出が終了して通常モードに移行する場合に、解除ゲーム数（所謂「天井ゲーム数」）を決定する。そして、サブ制御用ＣＰＵ４１ａは、通常モードで行われた変動ゲームの回数が解除ゲーム数に達した場合、ＡＲＴモードへの移行権利を発生させる。
【００９２】
また、サブ制御用ＣＰＵ４１ａは、ＡＲＴモードへの移行権利を発生させる場合、サブ制御用ＲＡＭ４１ｃの所定の記憶領域に記憶しているＡＲＴフラグにＡＲＴモードへの移行権利の発生を示す値を設定する。なお、このＡＲＴフラグには、ＡＲＴモードへの移行権利が発生していないときは、ＡＲＴモードへの移行権利の未発生を示す値が設定される。また、ＡＲＴフラグにＡＲＴモードへの移行権利の発生を示す値が設定されると、ＡＲＴ通常モードへ移行可能とし、その後ＡＲＴモードに移行した場合においてＡＲＴモードが終了することでＡＲＴフラグにＡＲＴモードへの移行権利の未発生を示す値が設定される。
【００９３】
そして、サブ制御用ＣＰＵ４１ａは、ＡＲＴフラグにＡＲＴモードへの移行権利の発生を示す値を設定する場合、その変動ゲーム又は所定回数経過後の変動ゲームから、ＡＲＴモードへの移行権利の発生を報知する準備モードへ移行させる。このときサブ制御用ＣＰＵ４１ａは、準備モードを示す演出フラグを設定する。
【００９４】
なお、本実施形態において、サブ制御用ＣＰＵ４１ａは、通常モードにおいて、各変動ゲームにてストップボタン２３Ｌが最初に操作されなければ、遊技者による停止操作が予め定められた操作条件を満たしていないとして、遊技者にとって不利な状態となるペナルティを付与する。例えば、ペナルティとしては、ＡＲＴ突入抽選を行わない、又はＡＲＴ突入抽選を行うが必ず当選しないように制御する。また、本実施形態では、ストップボタン２３Ｌの最初の停止操作により突入停止目で停止表示され得ない構成、すなわち突入入賞用の押し順としてストップボタン２３Ｌが最初に停止操作される押し順を設定していない。これにより、通常モード中には、ＡＲＴフラグにＡＲＴモードへの移行権利の未発生を示す値が設定されている場合、ＡＲＴモードへの移行、すなわち高確ＲＴ遊技への移行が想定されない状況となる。
【００９５】
次に、準備モードに関する制御について説明する。なお、通常モードと同じような制御については説明を省略し、通常モードと異なる制御について説明する。
サブ制御用ＣＰＵ４１ａは、準備モード中（準備モードを示す演出フラグの設定中）、当選役の当選及び入賞（取りこぼし）に基づいた処理を行う。
【００９６】
また、サブ制御用ＣＰＵ４１ａは、準備モード中、ベル役の当選が指示される場合、変動ゲームの開始に伴って、ベルナビ演出を行わせるように演出表示装置１４の表示内容を制御する。このため、準備モード中には、ベル入賞を補助するように演出が行われ、遊技者がベルナビ演出に従って遊技を行うことでベル入賞が発生する。
【００９７】
演出表示装置１４では、ストップボタンを模した画像を３つ並べて表示させるとともに、それぞれに「１」、「２」、「３」の数字を付す態様でベルナビ演出が行われる。例えば、ベル群１の場合であれば、３つの画像のうち、左の画像に「１」が、真ん中の画像に「２」が、右の画像に「３」がそれぞれ付されている場合には、［左中右］という押し順で停止操作すべきことが遊技者に対して特定可能なように報知される。
【００９８】
また、サブ制御用ＣＰＵ４１ａは、小役の中でもストップボタンの押し順により停止態様が変化する突入リプレイ役の当選が指示される場合、変動ゲームの開始に伴って、突入入賞を補助する突入リプナビ演出を行わせるように演出表示装置１４の表示内容を制御する。このため、準備モード中には、突入入賞を補助するように演出が行われ、遊技者が突入リプナビ演出に従って遊技を行うことで突入入賞が発生する。
【００９９】
演出表示装置１４では、ストップボタンを模した画像を３つ並べて表示させるとともに、３つのうちの一つに対して「１」の数字を付す態様で突入リプナビ演出が行われる。例えば、突入重複リプレイ群１の場合であれば、３つの画像のうち真ん中の画像に「１」が付されている場合には、ストップボタン２３Ｃを最初に停止操作すべきことが遊技者に対して特定可能なように報知される。
【０１００】
そして、サブ制御用ＣＰＵ４１ａは、準備モード中、突入入賞する場合、次の変動ゲームからＡＲＴ通常モードへ移行させる。このときサブ制御用ＣＰＵ４１ａは、ＡＲＴ通常モードを示す演出フラグを設定する。因みに、このときの遊技状態は、低確ＲＴ遊技から高確ＲＴ遊技に移行する。なお、準備モードでは、通常モードとは異なり、サブ制御用ＣＰＵ４１ａは、ＡＲＴ突入抽選を行わず、ペナルティの付与も行わない。
【０１０１】
次に、ＡＲＴ通常モードに関する制御について説明する。
サブ制御用ＣＰＵ４１ａは、ＡＲＴ通常モード中（ＡＲＴ通常モードを示す演出フラグの設定中）、当選役の当選及び入賞に基づいた処理を行う。なお、ＡＲＴ通常モード中は、リプレイ役として、通常リプレイ役（不問）と、特殊リプレイ役と通常リプレイ役との重複役とが当選し得る演出状態であり、通常リプレイ役（不問）と、特殊リプレイ役と、当該特殊リプレイ役と重複当選する通常リプレイ役の入賞が発生し得る。
【０１０２】
サブ制御用ＣＰＵ４１ａは、ＡＲＴ通常モード中、ベル役の当選が指示される場合、ベルナビ演出を実行するように演出表示装置１４の表示内容を制御する。すなわち、ＡＲＴ通常モード中、ベルこぼしの回避が補助され、ベル入賞が補助されるように演出が行われる。なお、ＡＲＴ通常モード中、ベル役の当選時に遊技者がベルナビ演出にしたがうことでベル入賞が発生する。
【０１０３】
また、サブ制御用ＣＰＵ４１ａは、ＡＲＴ通常モード中、ベル役を取りこぼしする場合、通常モードへ移行させる。このときサブ制御用ＣＰＵ４１ａは、通常モードを示す演出フラグを設定する。因みに、このときの遊技状態は、高確ＲＴ遊技から低確ＲＴ遊技へ移行する。
【０１０４】
また、サブ制御用ＣＰＵ４１ａは、ＡＲＴ通常モードの制御を開始する際、ＡＲＴ通常モードの変動ゲームの上限回数（初期回数）を示す値をサブ制御用ＲＡＭ４１ｃに割り当てられた通常残Ｇ数に記憶する。なお、本実施形態において、初期回数（初期の基準回数）としては、「４０」が規定されている。そして、サブ制御用ＣＰＵ４１ａは、ＡＲＴ通常モード中、変動ゲームを行う毎に、通常残Ｇ数から「１」減算する。このように、サブ制御用ＣＰＵ４１ａは、ＡＲＴ通常モード（ＡＲＴモード）において実行される変動ゲームの実行回数を計数する。
【０１０５】
また、サブ制御用ＣＰＵ４１ａは、通常残Ｇ数が「０（零）」となる場合、次の変動ゲームから高確ＲＴ演出へ移行させる。このときサブ制御用ＣＰＵ４１ａは、高確ＲＴ演出を示す演出フラグを設定する。因みに、このときの遊技状態は、高確ＲＴ遊技が継続する。また、サブ制御用ＣＰＵ４１ａは、ＡＲＴモードから高確ＲＴ演出へ移行させることに合わせて、ＡＲＴフラグにＡＲＴモードへの移行権利の未発生を示す値を設定する。
【０１０６】
また、サブ制御用ＣＰＵ４１ａは、ＡＲＴ通常モード中、ＡＲＴ通常モードからＡＲＴ特別モードに移行させるか否かを決定するための特別移行抽選（図５では単に「移行抽選」と示す）を行う。この特別移行抽選は、当選役に基づいて所定の当選確率となるように、当選と非当選との何れかに乱数を振り分けて行われる。サブ制御用ＣＰＵ４１ａは、この特別移行抽選で当選すると、次回以降の変動ゲームからＡＲＴ特別モードへ移行させる。このときサブ制御用ＣＰＵ４１ａは、ＡＲＴ特別モードを示す演出フラグを設定する。因みに、このときの遊技状態は、高確ＲＴ遊技が継続する。
【０１０７】
一方、サブ制御用ＣＰＵ４１ａは、ＡＲＴ通常モード中、特別移行抽選で当選しなかった場合には、ＡＲＴ特別モードへ移行させず、ＡＲＴ通常モードの滞在を継続させる。
また、サブ制御用ＣＰＵ４１ａは、ＡＲＴ通常モード中、特殊リプレイ役の当選が指示される場合には、特殊リプナビ演出を実行させるか否かを決定するための特殊リプナビ抽選を行う。サブ制御用ＣＰＵ４１ａは、この特殊リプナビ抽選で当選すると、変動ゲームの開始に伴って、特殊入賞を補助する特殊リプナビ演出を行わせるように演出表示装置１４の表示内容を制御する。このため、ＡＲＴ通常モード中には、特殊入賞を補助するように演出が行われ、遊技者が特殊リプナビ演出に従って遊技を行うことで特殊入賞が発生する。
【０１０８】
演出表示装置１４では、ストップボタンを模した画像を３つ並べて表示させるとともに、それぞれに「１」、「２」、「３」の数字を付すベルナビ演出と同じ態様で、特殊リプナビ演出が行われる。このように、サブ制御用ＣＰＵ４１ａは、特殊リプレイ役が当選した場合に、ＡＲＴ通常モード（ＡＲＴモード）において特殊入賞用の押し順を報知させ、その結果、ストップボタンが特殊入賞用の押し順で停止操作されたときに特殊入賞が行われる。
【０１０９】
次に、ＡＲＴ特別モードに関する制御について説明する。
サブ制御用ＣＰＵ４１ａは、ＡＲＴ特別モード中（ＡＲＴ特別モードを示す演出フラグの設定中）、当選役の当選及び入賞に基づいた処理を行う。なお、ＡＲＴ特別モード中も、リプレイ役として、通常リプレイ役（不問）と、特殊リプレイ役と通常リプレイ役との重複役とが当選し得る演出状態であり、通常リプレイ役（不問）と、特殊リプレイ役と、当該特殊リプレイ役と重複当選する通常リプレイ役の入賞が発生し得る。
【０１１０】
サブ制御用ＣＰＵ４１ａは、ＡＲＴ特別モード中、ベル役の当選が指示される場合、ベルナビ演出を実行するように演出表示装置１４の表示内容を制御する。一方、サブ制御用ＣＰＵ４１ａは、ＡＲＴ特別モード中、ベル役を取りこぼしする場合、通常モードへ移行させる。このときサブ制御用ＣＰＵ４１ａは、通常モードを示す演出フラグを設定する。因みに、このときの遊技状態は、高確ＲＴ遊技から低確ＲＴ遊技へ移行する。
【０１１１】
また、サブ制御用ＣＰＵ４１ａは、ＡＲＴ特別モードの制御を開始する際、ＡＲＴ特別モードの変動ゲームの上限回数（初期回数）を示す値をサブ制御用ＲＡＭ４１ｃに割り当てられた特別残Ｇ数に記憶する。なお、本実施形態において、初期回数としては、「３０」が規定されている。そして、サブ制御用ＣＰＵ４１ａは、ＡＲＴ特別モード中、変動ゲームを行う毎に、特別残Ｇ数から「１」減算する。このように、サブ制御用ＣＰＵ４１ａは、ＡＲＴ特別モード（ＡＲＴモード）において実行される変動ゲームの実行回数を計数する。なお、サブ制御用ＣＰＵ４１ａは、ＡＲＴ特別モード中、変動ゲームを行う毎に、通常残Ｇ数を維持する。つまり、ＡＲＴ特別モードは、通常残Ｇ数が減算されないため、ＡＲＴ通常モードよりも有利な演出状態といえる。
【０１１２】
また、サブ制御用ＣＰＵ４１ａは、特別残Ｇ数が「０」となる場合、次の変動ゲームからＡＲＴ通常モードへ移行させる。このときサブ制御用ＣＰＵ４１ａは、ＡＲＴ通常モードを示す演出フラグを設定する。因みに、このときの遊技状態は、高確ＲＴ遊技が継続する。このように、ＡＲＴ特別モードは、ＡＲＴ通常モードから移行可能であって、終了後にＡＲＴ通常モードに移行可能な演出状態である。
【０１１３】
また、サブ制御用ＣＰＵ４１ａは、ＡＲＴ特別モード中、ＡＲＴ通常モード中と同じように、特殊リプレイ役の当選が指示される場合には、特殊リプナビ演出を実行させるか否かを決定するための特殊リプナビ抽選を行う。
【０１１４】
次に、高確ＲＴ演出に関する制御について説明する。
サブ制御用ＣＰＵ４１ａは、高確ＲＴ演出中（高確ＲＴ演出を示す演出フラグの設定中）、当選役の当選及び入賞に基づいた処理を行う。なお、高確ＲＴ演出中も、リプレイ役として、通常リプレイ役（不問）と、特殊リプレイ役と通常リプレイ役との重複役とが当選し得る演出状態であり、通常リプレイ役（不問）と、特殊リプレイ役と、当該特殊リプレイ役と重複当選する通常リプレイ役の入賞が発生し得る。
【０１１５】
サブ制御用ＣＰＵ４１ａは、高確ＲＴ演出中、ベル役の当選が指示される場合であっても、ベルナビ演出を実行させない。また、サブ制御用ＣＰＵ４１ａは、高確ＲＴ演出中、特殊リプレイ役の当選が指示される場合であっても、特殊リプナビ演出を実行させない。
【０１１６】
また、サブ制御用ＣＰＵ４１ａは、高確ＲＴ演出中、ベル役を取りこぼしする場合、通常モードへ移行させる。このときサブ制御用ＣＰＵ４１ａは、通常モードを示す演出フラグを設定する。因みに、このときの遊技状態は、高確ＲＴ遊技から低確ＲＴ遊技へ移行する。
【０１１７】
このように、サブ制御用ＣＰＵ４１ａは、通常モード、準備モード、ＡＲＴ通常モード、ＡＲＴ特別モード、高確ＲＴ演出についての制御を行う。なお、本実施形態において、このような処理を実行するサブ制御用ＣＰＵ４１ａが状態制御手段、遊技実行回数計数手段として機能する。また、本実施形態において、各種コマンドを出力する主制御用ＣＰＵ４０ａが情報出力手段として機能し、主制御用ＣＰＵ４０ａからの各種コマンドを入力するサブ制御用ＣＰＵ４１ａが情報入力手段として機能する。また、本実施形態において、ＡＲＴモードが特定状態に、ＡＲＴ通常モードが第１特定状態に、ＡＲＴ特別モードが第２特定状態に、通常モードが通常状態にそれぞれ相当する。
【０１１８】
なお、本実施形態において、ＡＲＴ通常モードでは特別移行抽選が行われる。この特別移行抽選においては、スイカ役又はチェリー役が当選したことを契機として、サブ制御用ＲＡＭ４１ｃの所定領域に設定される移行期待値に準じて当選するか否かが決定される。また、特殊入賞を契機として、サブ制御用ＲＡＭ４１ｃの所定領域に設定される移行期待値に準じて当選するか否かが決定される。
【０１１９】
ここで、図６（ａ）を参照して特別移行抽選における移行期待値について説明する。
サブ制御用ＲＯＭ４１ｂには、複数種類の移行期待値が規定されており、サブ制御用ＲＡＭ４１ｃの所定領域に何れかの移行期待値が設定される。この移行期待値とは、ＡＲＴ通常モードからＡＲＴ特別モードへの移行度合い（移行決定頻度、延長決定頻度）を示す情報であり、ＡＲＴ特別モードの制御には関連しない情報である。複数種類の移行期待値には、移行期待値Ｋ１〜Ｋ６があり、それぞれで期待値が異なる。具体的に、移行期待値Ｋ１では５０％として、移行期待値Ｋ２では５７％として、移行期待値Ｋ３では６５％として、移行期待値Ｋ４では７２％として、移行期待値Ｋ５では８０％として、移行期待値Ｋ６では８７％としてそれぞれ規定されている。
【０１２０】
なお、本実施形態において、スイカ役が当選する確率とチェリー役が当選する確率と特殊リプレイ役が当選する確率とが異なる。そして、特殊入賞させるべく、特殊リプナビ演出の実行確率が設定されている。更には、スイカ役が当選した場合に特別移行抽選に当選する確率と、チェリー役が当選した場合に特別移行抽選に当選する確率と、特殊入賞した場合に特別移行抽選に当選する確率とが異なる。このため、これらを総合した特別移行抽選に当選する合算の期待値が示されている。
【０１２１】
この移行期待値は、準備モードからＡＲＴ通常モードに移行したことを契機として、サブ制御用ＣＰＵ４１ａによって初期の移行期待値が決定される。本実施形態において、初期の移行期待値として、９１％の確率で移行期待値Ｋ１が、５％の確率で移行期待値Ｋ２が、１％の確率で移行期待値Ｋ３〜Ｋ６がそれぞれ決定される。なお、本実施形態において、移行期待値は、所定の変更条件が成立したときに設定変更される。
【０１２２】
また、図６（ｂ）に示すように、当選役に基づく各種制御と設定されている移行期待値との関係について説明する。
スイカ役又はチェリー役が当選したことを契機とする特別移行抽選の当選確率としては、移行期待値に従う確率として規定されている。具体的に、スイカ役又はチェリー役が当選した場合、有利な移行期待値が設定されている場合には、不利な移行期待値が設定されている場合よりも、特別移行抽選の当選確率が高くなるように規定されている。
【０１２３】
一方、特殊リプレイ役が当選したことを契機とする特殊リプナビ抽選の当選確率（図中では「ナビ確率」と示す）としては、移行期待値に反する確率として規定されている。具体的に、特殊リプレイ役が当選した場合、不利な移行期待値が設定されている場合には、有利な移行期待値が設定されている場合よりも、特殊リプナビ抽選の当選確率が高くなるように規定されている。
【０１２４】
つまり、特殊リプレイ役が当選した場合に実際に特殊リプナビ演出が実行される実行頻度によって、設定されている移行期待値が示唆されることとなる。特に、特殊リプレイ役が当選した場合、不利な移行期待値が設定されている場合には、有利な移行期待値が設定されている場合よりも特殊リプナビ演出が実行され易くなる。このように、設定されている移行期待値を示唆する示唆演出として特殊リプナビ演出が実行される。なお、スイカ役又はチェリー役が当選した場合には、特殊リプナビ演出が実行されず、移行期待値を示唆する示唆演出が実行されないともいえる。
【０１２５】
また、言い換えると、特殊リプレイ役が当選した場合、不利な移行期待値が設定されている場合には、有利な移行期待値が設定されている場合よりも、特別移行抽選が行われ易くなるように規定されている。なお、特殊入賞したことを契機とする特別移行抽選の当選確率としては、移行期待値に拘わらず同じ確率として規定されている。
【０１２６】
このように、当選役の種類によって、移行期待値に従うようにＡＲＴ特別モードに移行させ易くするか、移行期待値に反するようにＡＲＴ特別モードに移行させ易くするかが異なるが、これらを総合して、有利な移行期待値のほうが不利な移行期待値よりもＡＲＴ特別モードに移行させ易くなるように規定されている。
【０１２７】
このように、移行期待値は、特別移行抽選の当選確率（抽選確率）や特殊リプナビ演出の実行確率（報知確率）を示す情報であり、ＡＲＴモードの制御を延長させるための延長情報ともいえる。本実施形態において、これらのような複数種類の移行期待値（ＡＲＴ特別モードへの移行についての有利度合い）が規定されたサブ制御用ＲＯＭ４１ｂが延長情報規定手段として機能する。なお、本実施形態において、スイカ役、チェリー役、及び特殊リプレイ役が移行契機役に、特殊リプレイ役が特殊役に、スイカ役及びチェリー役が非特殊役にそれぞれ相当する。
【０１２８】
ここで、サブ制御用ＣＰＵ４１ａによって実行される特別移行抽選に関する制御について説明する。
サブ制御用ＣＰＵ４１ａは、ＡＲＴ通常モードの制御を開始する際、初期の移行期待値を決定する初期期待値抽選を行う。この初期期待値抽選において、サブ制御用ＣＰＵ４１ａは、図６（ａ）に示すような確率で初期の移行期待値を決定し、サブ制御用ＲＡＭ４１ｃの所定領域に設定する。
【０１２９】
また、サブ制御用ＣＰＵ４１ａは、ＡＲＴモード中に、所定の変更条件が成立した場合には、変更させる移行期待値を決定し、サブ制御用ＲＡＭ４１ｃの所定領域に設定する。
サブ制御用ＣＰＵ４１ａは、ＡＲＴ通常モード中、スイカ役又はチェリー役に当選した場合には、サブ制御用ＲＡＭ４１ｃに設定されている移行期待値を読み出し、その移行期待値に基づいて特別移行抽選を行う。そして、サブ制御用ＣＰＵ４１ａは、特別移行抽選で当選した場合には、次回の変動ゲームからＡＲＴ特別モードに移行させる。一方、サブ制御用ＣＰＵ４１ａは、特別移行抽選で当選しなかった場合には、次回の変動ゲームから、ＡＲＴ特別モードに移行させずに、ＡＲＴ通常モードの制御を継続する。
【０１３０】
一方、サブ制御用ＣＰＵ４１ａは、ＡＲＴ通常モード中、特殊リプレイ役に当選した場合には、サブ制御用ＲＡＭ４１ｃに設定されている移行期待値を読み出し、その移行期待値に基づいて特殊リプナビ抽選を行う。そして、サブ制御用ＣＰＵ４１ａは、特殊リプナビ抽選で当選した場合には、特殊リプナビ演出を実行させる。
【０１３１】
そして、サブ制御用ＣＰＵ４１ａは、特殊入賞された場合、サブ制御用ＲＡＭ４１ｃに設定されている移行期待値を読み出し、その移行期待値に基づいて特別移行抽選を行う。そして、サブ制御用ＣＰＵ４１ａは、特別移行抽選で当選した場合には、次回の変動ゲームからＡＲＴ特別モードに移行させる。一方、サブ制御用ＣＰＵ４１ａは、特別移行抽選で当選しなかった場合には、次回の変動ゲームから、ＡＲＴ特別モードに移行させずに、ＡＲＴ通常モードの制御を継続する。なお、特殊リプナビ演出が実行されない場合であっても、特殊入賞用の押し順で停止操作されたときに特殊入賞されるが、この場合も同じような制御がおこなわれる。
【０１３２】
本実施形態において、このような処理を実行するサブ制御用ＣＰＵ４１ａが状態制御手段、延長情報決定手段、権利付与決定手段、演出制御手段、報知制御手段として機能する。
【０１３３】
以上詳述したように、本実施形態は、以下の効果を有する。
（１）ＡＲＴ通常モードにおいてスイカ役、チェリー役、又は特殊リプレイ役が当選したことを条件として、ＡＲＴ特別モードに移行させるか否かを決定する特別移行抽選が行われる。この特別移行抽選の抽選結果によるＡＲＴ特別モードへの移行についての有利度合いが異なる複数種類の移行期待値から何れかが決定される。ＡＲＴ通常モードにおいて特殊リプレイ役が当選した場合に、決定されている移行期待値の有利度合いが不利なときには有利なときよりも高い確率で、決定されている移行期待値を示唆する示唆演出として特殊リプナビ演出を実行させる制御が行われる。このため、特殊リプレイ役が当選した場合、移行期待値の有利度合いが不利な場合であっても、有利な場合よりも特殊リプナビ演出が実行され易くなり、特殊リプナビ演出の実行頻度の均衡を図ることができ、移行期待値の有利度合いを示唆する演出による演出効果を高めることによって、遊技に対する興趣の向上を図ることができる。
【０１３４】
（２）特殊リプレイ役が当選した場合には、サブ制御基板４１における特殊リプナビ演出の実行確率自体に基づいて、特定操作条件を報知させる特殊リプナビ演出を実行させるか否かが決定される。このため、サブ制御基板４１における演出の実行確率自体を変更させ、主制御基板４０における当選役の決定確率自体を変更させることがなく、主制御基板４０における記憶容量の削減や制御負荷の軽減を図ることができる。
【０１３５】
（３）特殊リプレイ役が当選した場合には、特定操作条件を報知する特殊リプナビ演出を、設定されている移行期待値を示唆する示唆演出として実行させることによって、移行期待値の有利度合いが不利なときには有利なときよりも高い確率で、ＡＲＴ特別モードへの移行についての特定操作条件を報知する演出が実行される。このため、特殊リプレイ役が当選した場合、移行期待値の有利度合いが不利な場合であっても、有利な場合よりも特定操作条件を報知する特殊リプナビ演出が実行され易くなる。したがって、遊技の進行に影響がある特殊リプナビ演出が示唆演出として採用されることによって、示唆演出に対する注意をより一層持たせることができるとともに、ＡＲＴ特別モードへの移行についての示唆演出の実行頻度の均衡を図ることができ、示唆演出による演出効果を高めることによって、遊技に対する興趣の向上を図ることができる。
【０１３６】
（４）その一方で、スイカ役又はチェリー役が当選した場合、移行期待値が有利なときには不利なときよりも高い確率で、ＡＲＴ特別モードに移行させると決定される。このため、スイカ役又はチェリー役が当選した場合、移行期待値の有利度合いが有利なときには不利なときよりも、ＡＲＴ特別モードに移行させ易くなり、ＡＲＴ特別モードへの移行についての有利度合いの均衡を図ることができ、遊技に対する興趣の向上を図ることができる。
【０１３７】
尚、上記実施形態は、次のような別の実施形態（別例）にて具体化できる。
・上記実施形態において、特殊入賞したときに、移行期待度に拘わらず同じ確率で特別移行抽選に当選するように規定されたが、これに限らず、例えば、有利な移行期待度である場合には、不利な移行期待度である場合よりも高い確率で特別移行抽選に当選するように規定されてもよい。つまり、特殊リプナビ抽選では、不利な移行期待度である場合には、有利な移行期待度である場合よりも高い確率で当選するように規定されても、特別移行抽選では、有利な移行期待度である場合には、不利な移行期待度である場合よりも高い確率で当選するように規定され、ＡＲＴ特別モードに移行させると決定する頻度を調整してもよい。もちろん、不利な移行期待度である場合には、有利な移行期待度である場合よりも高い確率で特別移行抽選に当選するように規定されてもよい。また、例えば、スイカ役又はチェリー役が当選したときに、不利な移行期待度である場合には、有利な移行期待度である場合よりも高い確率で特別移行抽選に当選するように規定されてもよい。つまり、結果として、不利な移行期待度である場合には、有利な移行期待度である場合よりも特殊リプナビ抽選に当選し易く、移行契機役の当選を条件として、有利な移行期待度である場合には、不利な移行期待度である場合よりもＡＲＴ特別モードに移行させると決定し易くなるように規定されていればよい。
【０１３８】
・上記実施形態において、ＡＲＴ通常モード中に特別移行抽選に当選した場合、次回の変動ゲームにおいてＡＲＴ特別モードに移行させたが、これに限らず、例えば、次回以降における変動ゲームのうち何れかにおいてＡＲＴ特別モードに移行させてもよい。つまり、ＡＲＴ通常モードからＡＲＴ特別モードに移行させる権利が少なくとも付与されればよい。
【０１３９】
・上記実施形態において、低確ＲＴ遊技、高確ＲＴ遊技の２種類の遊技状態の制御が行われたが、これに限らず、例えば、３種類以上の遊技状態の制御が行われてもよい。
・上記実施形態において、低確ＲＴ遊技では２種類の演出状態が、高確ＲＴ遊技では３種類の演出状態がそれぞれ制御されたが、これに限らず、これより多くても少なくてもよい。特に、例えば、ＡＲＴ通常モードとＡＲＴ特別モードとを合わせて、同じようにＡＲＴモードとして制御してもよい。また、例えば、ＡＲＴ初期モードを新たに追加し、準備モードからＡＲＴ初期モードに、ＡＲＴ初期モードからＡＲＴ通常モードにそれぞれ移行するように制御してもよい。つまり、特定状態としては、１種類の演出状態から構成されても複数種類の演出状態から構成されてもよい。
【０１４０】
・上記実施形態において、予め定められた一定回数の変動ゲームでＡＲＴ通常モードやＡＲＴ特別モードが制御されたが、これに限らず、例えば、移行前や滞在中に、ＡＲＴ通常モードやＡＲＴ特別モードが制御される変動ゲームの回数が決定されてもよい。つまり、初期回数を変更可能としてもよく、滞在中に各残Ｇ数の上乗せが行われてもよい。また、例えば、予め定められた変動ゲームの実行回数を単位期間として、その単位遊技期間分のＡＲＴ通常モードやＡＲＴ特別モードが継続可能な制御（所謂、「セット数での管理」）が行われてもよい。
【０１４１】
・上記実施形態において、ＡＲＴ通常モードからＡＲＴ特別モードに移行させるか否かを決定する特別移行抽選における抽選確率と特殊リプナビ抽選の抽選確率によって、ＡＲＴモードの延長の有利度合いを異ならせたが、これに限らない。例えば、ＡＲＴ通常モードやＡＲＴ特別モードなどの各残Ｇ数を上乗せする抽選における当選確率によって、ＡＲＴモードの延長の有利度合いを異ならせてもよい。また、例えば、ＡＲＴ通常モードやＡＲＴ特別モードなどの各残Ｇ数に上乗せする上乗せ回数を抽選における当選確率によって、ＡＲＴモードの延長の有利度合いを異ならせてもよい。もちろん、各残Ｇ数の上乗せに限らず、単位期間で継続可能な制御によって、ＡＲＴモードの延長の有利度合いを異ならせてもよい。
【０１４２】
・上記実施形態において、非特殊役としてのスイカ役又はチェリー役が当選したことを条件として、これに限らず、例えば、これら当選役が当選しても、操作態様によっては入賞しないように制御される場合であれば、その入賞によってはじめて特別移行抽選が行われてもよい。また、例えば、特別リプレイ役とは異なるが、入賞用の押し順で停止操作されたときに成立する当選役の入賞によって特別移行抽選が行われてもよい。
【０１４３】
・上記実施形態において、停止操作の押し順を報知することによって、特定操作条件を報知したが、これに限らず、例えば、所定の当選役の当選が指示された場合など、停止操作の操作タイミングを報知することによって、特定操作条件を報知してもよく、報知しなくてもよい。
【０１４４】
・上記実施形態において、特殊リプナビ演出を示唆演出として採用したが、これに限らず、例えば、入賞用の押し順を報知しない演出を示唆演出として採用して、示唆演出の実行頻度が高い場合には、低い場合よりも移行期待度が低くなるように規定されてもよい。また、示唆演出の実行頻度によって移行期待度の示唆が行われたが、これに限らず、例えば、複数種類の示唆演出のうち実行された示唆演出の種類によって移行期待度の示唆が行われてもよい。
【０１４５】
・上記実施形態において、各種演出、各種報知が演出表示装置１４によって行われたが、これに限らず、例えば、スピーカＳｐや装飾ランプＬａなどの手段を用いてもよく、これらの組み合わせであってもよい。
【０１４６】
・上記実施形態において、各種のＡＲＴモードが採用されたが、これに限らず、例えば、高い確率でベル役等の小役が当選するボーナス等が採用されてもよく、これらの組み合わせであってもよい。
【０１４７】
・上記実施形態において、主制御基板４０とサブ制御基板４１との何れかに各種の機能を備えたが、これに限らず、例えば、主制御基板４０における機能をサブ制御基板４１に備えてもよく、サブ制御基板４１における機能を主制御基板４０に備えてもよい。具体的な一例としては、サブ制御基板４１で演出状態が管理されたが、主制御基板４０で演出状態が管理されてもよい。また、サブ制御基板４１で各種残Ｇ数が管理されたが、主制御基板４０で管理されてもよい。また、サブ制御基板４１で各種ナビ演出が決定されたが、主制御基板４０で各種ナビ演出が決定されてもよい。また、特別移行抽選の有利度合いが主制御基板４０で管理されてもよい。
【０１４８】
・上記実施形態において、サブ制御基板４１を備えない構成としてもよい。この場合、主制御基板４０が、演出表示装置１４やスピーカＳｐ、装飾ランプＬａなどの手段を制御することになる。
【０１４９】
・上記実施形態は、遊技媒体として遊技球（パチンコ球）を用いるパチンコ式スロット機（パチスロ機）に具体化してもよい。
次に、上記実施形態及び別例から把握できる技術的思想を以下に追記する。
【０１５０】
（イ）前記状態制御手段は、前記特定状態の制御として、所定回の遊技において実行可能な第１特定状態と、前記第１特定状態から移行可能であって終了後に前記第１特定状態に移行可能である第２特定状態との制御を行い、前記権利付与決定手段は、前記第１特定状態において前記第２特定状態の制御を行う権利を前記延長権利として付与するか否かを決定することを特徴とする。
【０１５１】
（ロ）前記導出制御手段は、前記当選役抽選手段によって非特殊役が当選した場合に、前記特定状態において遊技者による停止操作が特定操作条件を満たしたか否かに拘わらず、非特殊役を入賞可能に制御し、前記情報出力手段は、前記当選役抽選手段によって非特殊役が当選した場合、決定された当選役を示す当選役情報を出力し、前記権利付与決定手段は、前記特定状態において前記当選役抽選手段によって非特殊役が当選した場合に、前記延長権利を付与するか否かを決定することを特徴とする。
【０１５２】
（ハ）前記演出制御手段は、前記特定状態において前記当選役抽選手段によって前記非特殊役が当選した場合に、前記示唆演出を演出実行手段に実行させないことを特徴とする。
【符号の説明】
【０１５３】
Ｌ１…入賞ライン、Ｌ２〜Ｌ５…非入賞ライン、１０…パチンコ式スロットマシン、１３…ドラムユニット（図柄表示手段）、１３Ｌ…左リール、１３Ｃ…中リール、１３Ｒ…右リール、１４…演出表示装置（演出実行手段、報知手段）、２２…スタートレバー（遊技開始操作手段）、２３Ｌ、２３Ｃ、２３Ｒ…ストップボタン（導出操作受付手段）、４０…主制御基板、４０ａ…主制御用ＣＰＵ（当選役抽選手段、導出制御手段、情報出力手段）、４０ｂ…主制御用ＲＯＭ、４０ｃ…主制御用ＲＡＭ、４１…サブ制御基板、４１ａ…サブ制御用ＣＰＵ（状態制御手段、延長情報決定手段、権利付与決定手段、演出制御手段、報知制御手段、情報入力手段）、４１ｂ…サブ制御用ＲＯＭ（延長情報規定手段）、４１ｃ…サブ制御用ＲＡＭ。
【図１】
2015047211.tif 000003
【図２】
2015047211.tif 000004
【図３】
2015047211.tif 000005
【図４】
2015047211.tif 000006
【図５】
2015047211.tif 000007
【図６】
2015047211.tif 000008